(57)【要約】【課題】スペースの制約にかかわらず、キースイッチの操作指示ステッカの最適な配置場所を提供する。【解決手段】開閉自在なカバー蓋の裏面に操作指示ステッカを配置させた。【選択図】図１
2009076226.tif 000002
【特許請求の範囲】
【請求項１】
開閉自在なカバー蓋の裏面に操作指示ステッカを配置させたことを特徴とするキー穴防水及び防塵用カバー。
【請求項２】
カバー蓋を開閉させる支持軸の位置を、カバー取付面より所定距離を隔てた高さの位置に配置させたことを特徴とする請求項１のキー穴防水及び防塵用カバー。
【発明の詳細な説明】
【技術分野】
【０００１】
この発明は、キースイッチのキー穴に水滴や塵埃が侵入しないようにするための防水用カバーに関する。
【背景技術】
【０００２】
例えば、建設現場等で稼働する作業機械では、エンジン等のキースイッチは運転席のコンソール周りに設置される。そして、そのキースイッチ近傍には、操作指示を表示したステッカが貼付されている。
【０００３】
ところで、作業機械の運転席はボックス型の構造もあるが、種類によっては、簡易的な屋根しかない機種も多数ある。そのような簡易な屋根が設置される機種では、雨等の水滴や塵埃等がエンジン等のキースイッチのキー穴に侵入するおそれがあった。そこで従来、キースイッチの上面部を覆う開閉自在なカバーが取り付けられている（同様の構造として特許文献１等がある）。その一例を図２に示すが、同図に示す構造は、キースイッチの取付面に固着する取付枠部7と、該取付枠部7の端部ピン70を介して開閉自在となるカバー蓋8からなり、キースイッチを形成するキーシリンダ頭部（図示なし）に、前記取付枠部7の内枠穴71を嵌め込み（嵌め込み状態は図１(d)参照）、キースイッチの不使用時にはカバー蓋8を閉めれば、キー穴がカバー蓋8で覆われ、雨滴や塵埃等の侵入を防止できる。キースイッチを使用するときは、図示のようにカバー蓋8を開ければよい。
【０００４】
【特許文献１】特開平１１−３２４４２５号（図３）
【発明の開示】
【発明が解決しようとする課題】
【０００５】
キースイッチが配置されるコンソール周りは、近時の操作器機の増加にともない、多数のスイッチ類が配置されてきており、空きスペースが徐々に減りつつある。このため、前記操作指示ステッカの貼付場所も制約を受け、必ずしもキー操作時に見やすい箇所に貼付できないものとなっていた。
【０００６】
また、キースイッチ自体の設置スペースについても、もちろん制約を受けることになるが、前記カバーを配置する場合は、開閉機構があること等から、どうしてもフラットなスペースにそのキースイッチを優先的に配置することになってしまい、そうなると、他のスイッチの設置スペースをさらに制約することになっていた。
【０００７】
この発明は、従来技術の以上のような問題に鑑み創案されたもので、スペースの制約にかかわらず、キースイッチの操作指示ステッカの最適な配置場所を提供し、さらにそれに加えて、キースイッチの設置場所をフラットな場所に限定させることのないカバーを提供しようとするものである。
【課題を解決するための手段】
【０００８】
このため、この発明に係るキー穴防水及び防塵用カバーは、開閉自在なカバー蓋の裏面に操作指示ステッカを配置させたことを特徴とする。
【０００９】
さらに、カバー蓋を開閉させる支持軸の位置を、カバー取付面より所定距離を隔てた高さの位置に配置させたことを特徴とする。
【００１０】
本発明のカバーでは、カバー蓋が閉じられているときは、操作指示ステッカは露見しない。一方キースイッチを始動させるとき、すなわちキースイッチのキー穴にキーを差し込むとき、まずカバー蓋を開けることになるが、そのカバー蓋の裏に操作指示ステッカが配置されているので、それを見ながら、その指示通りにキーを操作できる。キー穴にもっとも近い位置に操作指示ステッカがあるので、キー操作を誤ることがない。
【００１１】
また、カバー蓋を開閉させる支持軸の位置を、カバー取付面（カバーを取り付ける基準となる面。例えば、後述する取付枠部の上面）より所定距離を隔てた高さの位置に配置させている場合、キースイッチを形成するキーシリンダを、段差のある箇所とか、凹みのある箇所等の低部隅に配置させても、カバー蓋がキースイッチ上面より高い位置で開閉するので、開閉動作に支障がなく、このため必ずしもフラットな箇所にキースイッチを配置させる必要もない。
【発明の効果】
【００１２】
以上のように、本発明によれば、キースイッチの近くに操作指示ステッカを貼付するスペースがない場合でも、もっとも見やすい位置にそれが配置されることになる。言い換えれば、操作指示ステッカの貼付場所を特に気にする必要がないので、その分キースイッチ周りの他の機器の設置自由度が増すとともに、キースイッチの操作時に必ず目につく場所なので、キーの操作性が向上する。また、通常はステッカが露見しないので、キースイッチ周りの美観がすっきりする。
【００１３】
加えて、カバー蓋を開閉させる支持軸の位置をキースイッチ上面より所定距離を隔てた高さの位置に配置させていれば、例えば段差のある場所や凹み部等の低部にキーシリンダを配置させてもカバー蓋の開閉には支障がなく、このためキースイッチの設置場所をフラットな場所に限定させる必要もなくなるので、キースイッチ自体の設置自由度が増すとともに、他のスイッチ等の器機の設置自由度も増すことになる。
【発明を実施するための最良の形態】
【００１４】
本発明に係る具体的形態の一例を図１に基づき説明する。以下の例は、作業機械である油圧ショベルのエンジン始動用キーに用いられた例である。該エンジン始動用キースイッチは、キーシリンダ先端のキー穴がコンソール面上に露見するように配置されることを想定している（図１(d)参照）。なお、以下の例はあくまで一例であって、適用機械や具体的形態等、本発明が以下の構成に限定されないことは当然である。
【００１５】
図１は本形態例のキー穴防水及び防塵用カバーを示し、(a)はカバー蓋が開いている状態図、(b)は(a)と同じ状態でカバー蓋を反対側から見た図、(c)はカバー蓋を閉じた状態図、(d)はキーシリンダに取り付けた状態におけるカバーを開けた状態図である。
【００１６】
本形態例のキー穴防水用カバー1は、内枠穴30を有した取付枠部3と、該取付枠部3の一端に取り付けられたピン32（支持軸）を介して開閉自在となるカバー蓋2とからなり、そのような基本的構造は従来構造である図２に示すものと共通している。そして、図１(c)に示すように、コンソール上に露見するキーシリンダ4先端40に（ただし、同図ではコンソールは省略している）、前記内枠穴30を嵌め合わせて取付枠部3を装着した状態で、カバー蓋2を閉じれば、キー穴が該カバー蓋2により覆われることになる。
【００１７】
本形態例の特徴は次の点にある。前記取付枠部3には、その一端側に前記ピン32が備えられるブラケット31が一段高い位置から立ち上がっており、前記ピン32は、そのブラケット31のうち上端に形成されている。したがって、そのピン32を介して開閉自在となるカバー蓋2は取付枠部3底面より所定距離（段差とブラケット31の高さｈ）を隔てた高い位置で開閉自在に軸支される。これにより、段差のある部分や凹部の場合であっても、その低部の隅に取付枠部3を配置させれば、カバー蓋2の開閉に支障が生じることがない。また、カバー蓋2の基端辺を円弧状にカットし（図中、20で示す部分）、そのカット分、カバー蓋3のピン軸心をキーシリンダ頭部40側に寄せている。このカット部20の切り欠きにより、カバー蓋2のコンパクト化及び軽量化が図れることにもなる。
【００１８】
また前記カバー蓋2の裏面には、操作指示ステッカ5が貼付されている。これにより、カバー蓋2を開けてキー操作をするとき、操作指示ステッカ5が露見して、キー操作の表示がキー穴に差し込まれたキー6のもっとも近い位置で確認できる。また、カバー蓋2を閉じればステッカ5は隠れることになり、キースイッチ周りの美観がすっきりする。
【産業上の利用可能性】
【００１９】
この発明は、例えば作業機械に用いられる器機のキースイッチのキー穴防水及び防塵用カバーとして適用可能である。
【図面の簡単な説明】
【００２０】
【図１】本発明に係るキー穴防水及び防塵用カバーの一形態例を示し、(a)はカバー蓋を開けた状態図、(b)は(a)の状態をカバー蓋の表から見た図、(c)はカバー蓋を閉じた状態図、(d)はカバーをキースイッチに装着した状態においてキーをキー穴に差し込んだ状態図である。
【図２】従来のキー穴防水用カバーの説明図である。
【符号の説明】
【００２１】
1        キー穴防水及び防塵用カバー
2        カバー蓋
3        取付枠部
4        キーシリンダ
5        操作指示ステッカ
6        キー
【図１】
2009076226.tif 000003
【図２】
2009076226.tif 000004